(57)【要約】【課題】人為的な解除動作が必要な第２のロック機構を備えたベッド用脚部構造体を提供する。【解決手段】このベッド用脚部構造体８０は、従来の第１のロック機構６０に加えて人為的な解除動作が必要な第２のロック機構７０を備えている。このため、何らかの原因により第１のロック機構６０がロック解除状態になった場合でも、第２のロック機構７０がロックアーム５０の回動を阻止し、操作バー６４の係合凹部５８からの脱落を防止する。これにより、ロックアーム５０及びサブアーム５６による脚体３０の保持状態は維持され、ボトムフレーム１０が突然沈み込むことは無い。これにより、ベッドの安全性をより一層向上させることができる。【選択図】図１
2018007725.tif 000002
【特許請求の範囲】
【請求項１】
寝具が載置するボトムフレームに上端が回動可能に軸支された脚体と、
前記ボトムフレームの短辺側の２本の前記脚体を繋ぐように固定した係合バーと、
前記ボトムフレームに上端が回動可能に軸支されたロックアームと、
前記ロックアームの先側に設置され前記係合バーが嵌入する係合凹部と前記係合バーの嵌入状態をロックする第１のロック機構と、
前記第１のロック機構を構成し前記ロックアームに沿ってスライド移動して前記係合凹部を開閉するロック部材と、
前記ロックアームの先端側に軸支され前記ロック部材を移動させる操作バーと、を有し、
前記係合凹部に前記係合バーを嵌入することで前記ロックアームが前記脚体を所定の角度に保持して前記ボトムフレームを上方の使用位置に固定し、前記係合凹部から前記係合バーを外すことで前記脚体と前記ロックアームとが回動して折り畳まれボトムフレームが下方に移動して収容位置となるベッド用脚部構造体において、
前記使用位置における前記ロックアームの回動をロックする第２のロック機構を備え、
前記第２のロック機構は、一端が前記脚体に回動可能に軸支されるとともに他端に第１フック爪を備えたフックレバーと、前記フックレバーに回動可能に軸支され第２フック爪を備えたフックプレートと、前記第２フック爪を前記第１フック爪側に付勢する第１の弾性部材と、を備え、前記第２フック爪を開方向に回動させて前記操作バーを前記第１フック爪と第２フック爪との間に挿入した後、前記第２フック爪が前記第１フック爪側に回動して前記操作バーをロックすることを特徴とするベッド用脚部構造体。
【請求項２】
フックレバーをボトムフレームの短辺側に付勢する第２の弾性部材を備えることを特徴とする請求項１記載のベッド用脚部構造体。
【発明の詳細な説明】
【技術分野】
【０００１】
本発明は、寝具を載せるボトムフレームの位置を上方の使用位置と下方の収容位置とで切り替えることが可能なベッド用脚部構造体に関するものである。
【背景技術】
【０００２】
例えば宿泊施設等のシングルルーム、ツインルームなどで定員よりも宿泊人数が増えた際、エキストラベッドを設置して対応する場合がある。このエキストラベッドには必要に応じて室内に搬入するものや、ソファーベッドを用いたものなど様々なものが開発されている。そして、このようなエキストラベッドの一つとして、寝具を載せるボトムフレームの位置を上方の使用位置と下方の収容位置とで切り替え、不使用時には脚体を折り畳んで低背化し、正規のベッドの下に収容することが可能な例えば下記［特許文献１］に記載のベッドが存在する。
【先行技術文献】
【特許文献】
【０００３】
【特許文献１】特許第５１０６４７５号公報
【発明の概要】
【発明が解決しようとする課題】
【０００４】
この［特許文献１］に記載のベッドはロック補助体を内側に押し込むことでロック状態を解除し、脚体の折り畳みを可能としている。しかしながら、宿泊者がエキストラベッドの下に荷物を押し込んだ際などにロック補助体が押圧され、意図せずにロック状態が解除される場合がある。このような状態で宿泊者がエキストラベッドに乗ると脚体が突然折り畳まれてベッドが沈み込み、思わぬ事故の原因となる。
【０００５】
本発明は上記事情に鑑みてなされたものであり、人為的な解除動作が必要な第２のロック機構を備えたベッド用脚部構造体を提供することを目的とする。
【課題を解決するための手段】
【０００６】
本発明は、
（１）寝具が載置するボトムフレーム１０に上端が回動可能に軸支された脚体３０と、
前記ボトムフレーム１０の短辺側の２本の前記脚体３０を繋ぐように固定した係合バー３４と、
前記ボトムフレーム１０に上端が回動可能に軸支されたロックアーム５０と、
前記ロックアーム５０の先側に設置され前記係合バー３４が嵌入する係合凹部５８と前記係合バー３４の嵌入状態をロックする第１のロック機構６０と、
前記第１のロック機構６０を構成し前記ロックアーム５０に沿ってスライド移動して前記係合凹部５８を開閉するロック部材６２と、
前記ロックアーム５０の先端側に軸支され前記ロック部材６２を移動させる操作バー６４と、を有し、
前記係合凹部５８に前記係合バー３４を嵌入することで前記ロックアーム５０が前記脚体３０を所定の角度に保持して前記ボトムフレーム１０を上方の使用位置に固定し、前記係合凹部５８から前記係合バー３４を外すことで前記脚体３０と前記ロックアーム５０とが回動して折り畳まれボトムフレーム１０が下方に移動して収容位置となるベッド用脚部構造体において、
前記使用位置における前記ロックアーム５０の回動をロックする第２のロック機構７０を備え、
前記第２のロック機構７０は、一端が前記脚体３０に回動可能に軸支されるとともに他端に第１フック爪７４ａを備えたフックレバー７２ａと、前記フックレバー７２ａに回動可能に軸支され第２フック爪７４ｂを備えたフックプレート７２ｂと、前記第２フック爪７４ｂを前記第１フック爪７４ａ側に付勢する第１の弾性部材７６ａと、を備え、前記第２フック爪７４ｂを開方向に回動させて前記操作バー６４を前記第１フック爪７４ａと第２フック爪７４ｂとの間に挿入した後、前記第２フック爪７４ｂが前記第１フック爪７４ａ側に回動して前記操作バー６４をロックすることを特徴とするベッド用脚部構造体８０を提供することにより、上記課題を解決する。
（２）フックレバー７２ａをボトムフレーム１０の短辺側に付勢する第２の弾性部材７６ｂを備えることを特徴とする上記（１）記載のベッド用脚部構造体８０を提供することにより、上記課題を解決する。
【発明の効果】
【０００７】
本発明に係るベッド用脚部構造体は、第１のロック機構に加えて人為的な解除動作が必要な第２のロック機構を備えている。このため、何らかの原因により第１のロック機構がロック解除状態になった場合でも、第２のロック機構がロックアームの回動を阻止し、ボトムフレームの使用位置を保持する。これにより、ベッドの安全性をより一層向上させることができる。
【図面の簡単な説明】
【０００８】
【図１】本発明に係るベッド用脚部構造体を示す図である。
【図２】本発明に係るベッド用脚部構造体の第１のロック機構を説明する図である。
【図３】本発明に係るベッド用脚部構造体の第２のロック機構を説明する図である。
【発明を実施するための形態】
【０００９】
本発明に係るベッド用脚部構造体８０の実施の形態について図面に基づいて説明する。ここで、図１（ａ）は本発明に係るベッド用脚部構造体８０の使用位置を側面方向から見た図であり、図１（ｂ）は上面方向から見た図である。また、図１（ｃ）は本発明に係るベッド用脚部構造体８０の収容位置を側面方向から見た図である。尚、図１（ａ）、（ｃ）ではボトムフレーム１０を破線により透過状態で示す。
【００１０】
本発明に係るベッド用脚部構造体８０は、寝具１が載置するボトムフレーム１０に上端が回動可能に軸支された脚体３０と、この脚体３０を所定の角度に保持してボトムフレーム１０を上方の使用位置に固定するロックアーム５０と、ロックアーム５０による脚体３０の支持状態をロックする第１のロック機構６０と、ボトムフレーム１０が使用位置にあるときのロックアーム５０の回動をロックする第２のロック機構７０と、を有している。
【００１１】
ボトムフレーム１０は前述のようにベッドマットレス等の寝具１が載置するものであり、寝具１と同等寸法の枠フレーム１０ａと、この枠フレーム１０ａの内側に縦横に設置された補強フレーム１０ｂと、これら枠フレーム１０ａ、補強フレーム１０ｂで支持され寝具１を保持するネット１０ｃと、で主に構成される。また、脚体３０はこの枠フレーム１０ａの長辺の両側に各１対、合計４本設けられ、上端側が回動可能に軸支される。また、脚体３０は先端にキャスタ３２ａを有するとともに、脚体３０の下側面にはサブキャスタ３２ｂを備えている。そして、キャスタ３２ａは図１（ａ）に示すように、ベッド用脚部構造体８０が使用位置にあるときに床面と接地してベッドの移動を補助する。また、サブキャスタ３２ｂは図１（ｃ）に示すように、ベッド用脚部構造体８０が収容位置にあるときに床面に接地してベッドの移動を補助する。尚、キャスタ３２ａ、サブキャスタ３２ｂはボトムフレーム１０を上下移動させる際の脚体３０の回動を円滑に行う機能も有する。
【００１２】
また、ボトムフレーム１０の短辺側の２本の脚体３０は脚貫フレーム３２と係合バー３４とで繋ぐように固定され、これら短辺側の２本の脚体３０は一体となって回動動作する。また、脚体３０の所定の位置にはガススプリング等の緩衝部材１２が設置され、脚体３０の急激な回動動作を抑制するとともにボトムフレーム１０の上下動を補佐する。
【００１３】
また、ロックアーム５０は先側に第１のロック機構６０を備えるとともに、対となるサブアーム５６と連結バー５２で固定され、さらに操作バー６４が両者を貫通して設置されることにより、ロックアーム５０とサブアーム５６とは一体となって回動動作する。
【００１４】
次に、図２を用いて第１のロック機構６０の構成及び動作を説明する。ここで、図２（ａ）、（ｂ）は第１のロック機構６０のロック状態を示す側面図及び上面図である。また、また、図２（ｃ）は第１のロック機構６０のロック解除状態を示す側面図である。また、図２（ｄ）はサブアーム５６を示す図である。
【００１５】
先ず、ロックアーム５０、サブアーム５６の先側には係合バー３４が嵌入する係合凹部５８を有している。そして前述のように、ロックアーム５０の先側には係合バー３４の嵌入状態をロックする第１のロック機構６０を有している。そして、第１のロック機構６０は、ロックアーム５０に沿ってスライド移動するロック部材６２と、このロック部材６２を移動させる操作バー６４と、を有している。また、ロック部材６２は、係合凹部５８を開閉するフック部６６を備えたフックプレート６２ａと、被押圧部６８を備えたプッシュプレート６２ｂと、スペーサ６２ｃとを有しており、フックプレート６２ａとプッシュプレート６２ｂとは図２（ｂ）に示すようにスペーサ６２ｃを介して固定され、フックプレート６２ａとプッシュプレート６２ｂとの間にロックアーム５０がスライド可能に挿入される。また、操作バー６４はロックアーム５０、サブアーム５６の先端側に設けられた軸孔に回転可能に挿入され、両方向に張り出した楕円、半楕円、もしくは半円状のカム６３を有している。そして、このカム６３とプッシュプレート６２ｂの被押圧部６８とが当接する。また、操作バー６４には図示しないウェイトもしくはコイルバネ等の弾性部材が設けられ、通常状態においてはカム６３が被押圧部６８を押圧しない図２（ａ）に示す状態に位置する。そしてこの状態においてはロック部材６２のフック部６６が係合凹部５８を部分的に閉塞した図２（ａ）に示すロック状態をとり、係合バー３４が係合凹部５８から外れることを防止する。
【００１６】
次に、第１のロック機構６０の動作を説明する。先ず、ボトムフレーム１０が下方の収容位置にある場合、ロックアーム５０、サブアーム５６及び脚体３０は図１（ｃ）に示すように、ボトムフレーム１０側に折り畳まれた状態にある。次に、宿泊施設等の作業者がボトムフレーム１０を持ち上げると、ロックアーム５０、サブアーム５６及び脚体３０は自重によって展開方向に回動し徐々に立ち上がる。このとき、ロックアーム５０、サブアーム５６の下方の側面には係合バー３４が当接しており、この係合バー３４によって回動角度が規制されるとともに係合バー３４に対して摺接しながら立ち上がる。
【００１７】
そして、ロックアーム５０、サブアーム５６及び脚体３０の回動がさらに進むと係合バー３４はロック部材６２の下側面を摺動しフック部６６に到達する。係合バー３４がフック部６６に到達すると、ロックアーム５０、サブアーム５６の自重によって係合バー３４がフック部６６を押圧し、これによりロック部材６２がロックアーム５０の基側、即ち係合凹部５８が開く方向にスライド移動する。そして、係合凹部５８が所定の開状態になると、係合凹部５８が係合バー３４に落ち込み、係合凹部５８に係合バー３４が嵌入する。係合バー３４が係合凹部５８に嵌入するとロック部材６２に対する押圧力は無くなり、ロック部材６２は自重により係合凹部５８を閉じる方向にスライド移動する。これにより、係合凹部５８はフック部６６により閉塞したロック状態となる。そして、ロックアーム５０、サブアーム５６、脚体３０の回動は停止するとともに、ロックアーム５０及びサブアーム５６と脚体３０とは図１（ａ）に示すように略Ｔ字に接続し、ロックアーム５０及びサブアーム５６が脚体３０を所定の角度に保持する。これにより、ボトムフレーム１０は使用位置でロックされる。
【００１８】
次に、ボトムフレーム１０を収容位置に戻す場合、作業者は操作バー６４の端部のグリップ６４ａを掴み、これを捻る。これにより操作バー６４が回転し、これに伴ってカム６３が回動する。そして、カム６３がプッシュプレート６２ｂの被押圧部６８を押圧し、ロック部材６２が開方向に移動する。これにより、ロック部材６２のフック部６６が移動して、図２（ｃ）に示すような、係合凹部５８が開放したロック解除状態となる。次に、作業者はロックアーム５０、サブアーム５６を持ち上げることで、係合凹部５８から係合バー３４を外す。これによりロックアーム５０、サブアーム５６及び脚体３０は、ボトムフレーム１０に対して回動が可能となる。そして、作業者はボトムフレーム１０をゆっくりと下げることでロックアーム５０、サブアーム５６、脚体３０はボトムフレーム１０側に回動して折り畳まれる。そして、最終的に図１（ｃ）に示す収容位置となる。
【００１９】
次に、本発明の大きな特徴である第２のロック機構７０の構成及び動作を図３を用いて説明する。尚、図３においては、操作バー６４以外のロックアーム５０及び第１のロック機構６０の記載は省略する。
【００２０】
先ず、本発明に係る第２のロック機構７０は、一端が脚体３０に回動可能に軸支されるとともに他端に第１フック爪７４ａを備えたフックレバー７２ａと、このフックレバー７２ａの第１フック爪７４ａ部分に回動可能に軸支され第２フック爪７４ｂを備えたフックプレート７２ｂと、第２フック爪７４ｂを第１フック爪７４ａの側に付勢する第１の弾性部材７６ａと、を有している。また、第２のロック機構７０は、フックレバー７２ａをボトムフレーム１０の短辺側に付勢する第２の弾性部材７６ｂを有している。尚、フックレバー７２ａ、フックプレート７２ｂにはＬ字状に立ち上がったロックレバー７８ａ、７８ｂをそれぞれ設けることが好ましい。
【００２１】
次に、第２のロック機構７０の動作を説明する。先ず、ボトムフレーム１０が使用位置にあるとき、第１のロック機構６０の操作バー６４は図３の符号６４に示す位置にある。また、第２のロック機構７０のロック解除状態ではフックレバー７２ａは第２の弾性部材７６ｂの弾性力によってボトムフレーム１０の短辺側に付勢され、図３（ａ）に示すような脚体３０に沿った位置にある。また、フックプレート７２ｂは第１の弾性部材７６ａの弾性力によって第２フック爪７４ｂが閉じる側（第１フック爪７４ａ側）に付勢された位置にある。
【００２２】
次に、作業者は図３（ｂ）に示すように、ロックレバー７８ａ、７８ｂを摘まむなどしてフックプレート７２ｂを回動させる。これにより、第２フック爪７４ｂが開方向に回動して第１フック爪７４ａと第２フック爪７４ｂとの間の凹部は開状態となる。そして、作業者は凹部の開状態を維持したままフックレバー７２ａを操作バー６４の側に回動し、操作バー６４を第１フック爪７４ａと第２フック爪７４ｂとの間の凹部に位置させる。この状態で作業者がロックレバー７８ｂを離すとフックプレート７２ｂは第１の弾性部材７６ａの弾性力によって第１フック爪７４ａの側に回動し、第１フック爪７４ａと第２フック爪７４ｂとの間に操作バー６４が挿入されるとともに、この凹部は閉状態となる。次に、作業者がロックレバー７８ａを離すとフックレバー７２ａはフックプレート７２とともに第２の弾性部材７６ｂの弾性力によってボトムフレーム１０の短辺側に回動し、図３（ｃ）に示すように第２フック爪７４ｂが操作バー６４を付勢してこれを挟持する。これにより、操作バー６４は第２のロック機構７０によりロックされ、操作バー６４と接続したロックアーム５０及びサブアーム５６の回動がロックされる。
【００２３】
第２のロック機構７０のロック状態を解除するためには、作業者はロックレバー７８ａ、７８ｂを摘まむなどしてフックプレート７２ｂを回動させ、第１フック爪７４ａと第２フック爪７４ｂとを開状態とした上で、フックレバー７２ａをボトムフレーム１０の短辺側に回動する。これにより、操作バー６４が第１フック爪７４ａと第２フック爪７４ｂとの間から抜かれる。そしてこの状態を維持したまま、作業者はロックレバー７８ａ、７８ｂを離す。これにより、図３（ａ）に示す状態となり、第２のロック機構７０のロック状態は解除される。
【００２４】
ここで、第１のロック機構６０は操作バー６４のカム６３が回転しなくとも、押し込まれた荷物等がロック部材６２を直接押圧すると、ロック部材６２が開方向にスライド移動してロック状態が解除される可能性が有る。しかしながら、第２のロック機構７０が操作バー６４をロックした状態では、たとえ第１のロック機構６０のロック状態が解除されていても、第２のロック機構７０がロックアーム５０の回動を阻止する。このため、操作バー６４が係合凹部５８から抜けることは無く、ボトムフレーム１０は使用位置のまま保持され下降することは無い。
【００２５】
以上のように、本発明に係るベッド用脚部構造体８０は、従来の第１のロック機構６０に加えて人為的な解除動作が必要な第２のロック機構７０を備えている。このため、何らかの原因により第１のロック機構６０がロック解除状態になった場合でも、第２のロック機構７０がロックアーム５０の回動を阻止し、操作バー６４の係合凹部５８からの脱落を防止する。これにより、ロックアーム５０及びサブアーム５６による脚体３０の保持状態は維持され、ボトムフレーム１０が突然沈み込むことは無い。これにより、ベッドの安全性をより一層向上させることができる。
【００２６】
尚、本例で示したベッド用脚部構造体８０の構成は一例であり、各部材の形状、寸法、接続位置、動作機構等は、本発明の要旨を逸脱しない範囲で変更して実施することが可能である。
【符号の説明】
【００２７】
１０    ボトムフレーム
３０    脚体
３４    係合バー
５０    ロックアーム
５８    係合凹部
６０    第１のロック機構
６２    ロック部材
６４    操作バー
７０    第２のロック機構
７２ａ  フックレバー
７２ｂ  フックプレート
７４ａ  第１フック爪
７４ｂ  第２フック爪
７６ａ  第１の弾性部材
７６ｂ  第２の弾性部材
８０    ベッド用脚部構造体
【図１】
2018007725.tif 000003
【図２】
2018007725.tif 000004
【図３】
2018007725.tif 000005